(57)【要約】  薬剤用量を調節するための方法、装置、およびシステム。コンピューティングデバイスを使用して、医薬品用量調節を行う方法は：調節サイクルタイム期間を受信することと；用量と血糖測定値のペアの閾値数を受信することであって、用量と血糖測定値のペアの閾値数は、調節サイクルタイム期間内に可能な用量と血糖測定値の潜在的なペアの総数より少ない、受信することと；用量と血糖測定値のペアを受信することと；現在の調節サイクルタイム期間内に受信した用量と血糖測定値のペアの総数が、閾値数を満たすかどうかを判定することであって、現在の調節サイクルタイム期間は、受信した調節サイクルタイム期間に応じて異なる、判定することと；肯定の判定に応答して、用量調節が必要かどうかを、調節サイクルタイム期間内に受信した用量と血糖測定値のペアに基づき判定することと；用量調節を出力することとを含む。【選択図】図２
2021531125.tif 000002
【特許請求の範囲】
【請求項１】
コンピューティングデバイスを使用して、医薬品用量調節を行う方法であって：
調節サイクルタイム期間を、コンピューティングデバイスによって受信することと；
用量と血糖測定値のペアの閾値数を、コンピューティングデバイスによって受信することであって、用量と血糖測定値のペアの閾値数は、調節サイクルタイム期間内に可能な用量と血糖測定値の潜在的なペアの総数より少ない、受信することと；
用量と血糖測定値のペアを、コンピューティングデバイスによって受信することと；
現在の調節サイクルタイム期間内に受信した用量と血糖測定値のペアの総数が、閾値数を満たすかどうかを、コンピューティングデバイスによって判定することであって、現在の調節サイクルタイム期間は、受信した調節サイクルタイム期間に応じて異なる、判定することと；
閾値数を満たすという肯定の判定に応答して、用量調節が必要かどうかを、調節サイクルタイム期間内に受信した用量と血糖測定値のペアに基づき、コンピューティングデバイスによって判定することと；
コンピューティングデバイスによって用量調節を出力することと
を含む前記方法。
【請求項２】
現在の調節サイクルタイム期間は、用量と血糖測定値のペアを受信する前の、調節サイクルタイム期間に等しい期間を含む、請求項１に記載の方法。
【請求項３】
現在の調節サイクルタイム期間は、所定の事象によって開始される期間を含む、請求項１または２に記載の方法。
【請求項４】
所定の事象は、用量と血糖測定値の最初のペアである、請求項３に記載の方法。
【請求項５】
用量と血糖測定値のペアの閾値数を現在の調節サイクルタイム期間内に満たすことができるかどうかを、コンピューティングデバイスによって判定することと；
否定の判定をした場合には、新規の調節サイクルタイム期間を開始することと
を含む、請求項３または４に記載の方法。
【請求項６】
調節サイクルタイム期間をコンピューティングデバイスによって受信すること、および用量と血糖測定値のペアの閾値数をコンピューティングデバイスによって受信することは、設定値トークンを、コンピューティングデバイスのスキャナによってスキャンすることを含む、請求項１〜５のいずれか１項に記載の方法。
【請求項７】
用量と血糖測定値のペアを、コンピューティングデバイスによって受信することは：
薬剤用量値と薬剤用量時間とを含む用量指標を、コンピューティングデバイスによって受信することと；
血糖レベルと測定時間とを含む血糖測定値を、コンピューティングデバイスによって受信することと；
薬剤用量時間と測定時間が、１つまたはそれ以上の所定の基準を満足するかどうかを、コンピューティングデバイスによって判定することと；
肯定の判定に応答して、用量指標と血糖測定値とを、コンピューティングデバイスによって関連付けて、用量と血糖測定値のペアを形成することと
を含む、請求項１〜６のいずれか１項に記載の方法。
【請求項８】
薬剤用量時間と測定時間が、１つまたはそれ以上の所定の基準を満足するかどうかを、コンピューティングデバイスによって判定することとは、用量時間が第１の時間範囲内に生じており、かつ血糖測定値が第２の時間範囲内に生じているかどうかを判定することを含む、請求項７に記載の方法。
【請求項９】
受信した用量と血糖測定値のペアが、安全な閾値の外側にある薬剤用量の量を含むかどうかを、コンピューティングデバイスによって判定することと；
肯定の判定に応答して、コンピューティングデバイスによって修正警告を発することと
をさらに含む、請求項１〜８のいずれか１項に記載の方法。
【請求項１０】
用量と血糖測定値のペアの総数が、調節サイクルタイム期間内の潜在的な血糖測定値の総数の所定の割合より少ないかどうかを、コンピューティングデバイスによって判定することと；
肯定の判定に応答して、警告を出させることと
をさらに含む、請求項１〜９のいずれか１項に記載の方法。
【請求項１１】
所定の割合は、用量と血糖測定値の潜在的なペアの総数の最大３分の１である、請求項１０に記載の方法。
【請求項１２】
血糖測定値が低血糖の閾値を下回るかどうかを、コンピューティングデバイスによって判定することと；
肯定の判定に応答して、血糖測定値に基づき用量調節をコンピューティングデバイスによって判定することと；
コンピューティングデバイスによって用量調節を出力することと
をさらに含む、請求項１〜１１のいずれか１項に記載の方法。
【請求項１３】
血糖測定値が低血糖の閾値を下回るという肯定の判定に応答して、新規の現在の調節サイクルタイム期間をコンピューティングデバイスによって開始することをさらに含む、請求項１２に記載の方法。
【請求項１４】
装置であって：
１つまたはそれ以上のプロセッサと；
１つまたはそれ以上のプロセッサによって実行されたときに、請求項１〜１３のいずれか１項に記載の方法を装置に実行させる命令を含む１つまたはそれ以上のメモリデバイスと
を含む前記装置。
【請求項１５】
コンピュータプログラムであって、１つまたはそれ以上のプロセッサによって実行されたときに、請求項１〜１３のいずれか１項に記載の方法を１つまたはそれ以上のプロセッサに実行させるコンピュータ読取り可能命令を含む前記コンピュータプログラム。
【発明の詳細な説明】
【技術分野】
【０００１】
本明細書は、薬剤用量を調節するための方法、装置、およびシステムに関する。詳細には、本明細書は、血糖測定スケジュールに対して余裕のある投与レジメンに基づく、薬剤用量の自動推奨に関する。
【背景技術】
【０００２】
血糖モニタリングは、糖尿病患者の糖尿病を管理する重要な部分を成す。定期的な血糖モニタリングにより、糖尿病患者は、自らの医薬品レジメン、食事、および運動をより効果的に計画できるようになる。血糖測定の１つのタイプは、空腹時血糖（ＦＢＧ）測定である。
【０００３】
患者の薬剤レジメンの有効性をモニタリングするために、血糖測定は、インスリン用量などの薬剤用量とペアにされることが多い。これにより、患者の血糖レベルに対する薬剤の測定された効果に基づき、患者の薬剤レジメンを調節できるようになる。
【０００４】
しかし、状況によっては、たとえば医療用品が不足していたり、単に忘れたりすることにより、糖尿病患者は自らの血糖測定値を定期的に確認できないことがある。これは、糖尿病患者の血糖測定値に基づき治療を推奨する際に、影響を及ぼすことがある。
【発明の概要】
【課題を解決するための手段】
【０００５】
第１の態様によれば、本明細書は、コンピューティングデバイスを使用して、医薬品用量調節を行う方法であって：調節サイクルタイム期間を、コンピューティングデバイスによって受信することと；用量と血糖測定値のペアの閾値数を、コンピューティングデバイスによって受信することであって、用量と血糖測定値のペアの閾値数は、調節サイクルタイム期間内に可能な用量と血糖測定値の潜在的なペアの総数より少ない、受信することと；用量と血糖測定値のペアを、コンピューティングデバイスによって受信することと；現在の調節サイクルタイム期間内に受信した用量と血糖測定値のペアの総数が、閾値数を満たすかどうかを、コンピューティングデバイスによって判定することであって、現在の調節サイクルタイム期間は、受信した調節サイクルタイム期間に応じて異なる、判定することと；閾値数を満たすという肯定の判定に応答して、用量調節が必要かどうかを、調節サイクルタイム期間内に受信した用量と血糖測定値のペアに基づき、コンピューティングデバイスによって判定することと；コンピューティングデバイスによって用量調節を出力することとを含む方法について説明する。
【０００６】
現在の調節サイクルタイム期間は、用量と血糖測定値のペアを受信する前の、調節サイクルタイム期間に等しい期間を含んでもよい。
【０００７】
現在の調節サイクルタイム期間は、所定の事象によって開始される期間を含む。所定の事象は、用量と血糖測定値の最初のペアであってもよい。
【０００８】
方法はさらに：用量と血糖測定値のペアの閾値数を現在の調節サイクルタイム期間内に満たすことができるかどうかを、コンピューティングデバイスによって判定することと；否定の判定をした場合には、新規の調節サイクルタイム期間を開始することとを含む。
【０００９】
調節サイクルタイム期間をコンピューティングデバイスによって受信すること、および用量と血糖測定値のペアの閾値数をコンピューティングデバイスによって受信することは、設定値トークンを、コンピューティングデバイスのスキャナによってスキャンすることを含んでもよい。
【００１０】
用量と血糖測定値のペアを、コンピューティングデバイスによって受信することは：薬剤用量値と薬剤用量時間とを含む用量指標を、コンピューティングデバイスによって受信することと；血糖レベルと測定時間とを含む血糖測定値を、コンピューティングデバイスによって受信することと；薬剤用量時間と測定時間が、１つまたはそれ以上の所定の基準を満足するかどうかを、コンピューティングデバイスによって判定することと；肯定の判定に応答して、用量指標と血糖測定値とを、コンピューティングデバイスによって関連付けて、用量と血糖測定値のペアを形成することとを含んでもよい。
【００１１】
薬剤用量時間と測定時間が、１つまたはそれ以上の所定の基準を満足するかどうかを、コンピューティングデバイスによって判定することは、用量時間が第１の時間範囲内に生じており、かつ血糖測定値が第２の時間範囲内に生じているかどうかを判定することを含んでもよい。
【００１２】
方法はさらに：受信した用量と血糖測定値のペアが、安全な閾値の外側にある薬剤用量の量を含むかどうかを、コンピューティングデバイスによって判定することと；肯定の判定に応答して、コンピューティングデバイスによって修正警告を発することとを含んでもよい。
【００１３】
方法はさらに：用量と血糖測定値のペアの総数が、調節サイクルタイム期間内の潜在的な血糖測定値の総数の所定の割合より少ないかどうかを、コンピューティングデバイスによって判定することと；肯定の判定に応答して、警告を出させることとを含んでもよい。所定の割合は、用量と血糖測定値の潜在的なペアの総数の最大３分の１であってもよい。
【００１４】
方法はさらに：血糖測定値が低血糖の閾値を下回るかどうかを、コンピューティングデバイスによって判定することと；肯定の判定に応答して、血糖測定値に基づき用量調節をコンピューティングデバイスによって判定することと；コンピューティングデバイスによって用量調節を出力することとを含んでもよい。方法はさらに：血糖測定値が低血糖の閾値を下回るという肯定の判定に応答して、新規の現在の調節サイクルタイム期間をコンピューティングデバイスによって開始することを含んでもよい。
【００１５】
第２の態様によれば、本明細書は、装置であって：１つまたはそれ以上のプロセッサと；１つまたはそれ以上のプロセッサによって実行されたときに、本明細書に記載の方法のうちのいずれかを装置に実行させる命令を含むメモリとを含む装置について説明する。
【００１６】
第３の態様によれば、本明細書は、コンピュータプログラムであって、コンピュータ装置によって実行されたときに、本明細書に記載の方法のうちのいずれかをコンピューティング装置に実行させるコンピュータ読取り可能命令を含むコンピュータプログラムについて説明する。
【００１７】
例示的な実施形態を、添付図面を参照しながら非限定的な例としてここで説明する。
【図面の簡単な説明】
【００１８】
【図１】薬剤用量を管理するためのシステムの例を示す図である。
【図２】薬剤用量を管理するための装置の電子システムの概略的な例を示す図である。
【図３】薬剤用量を調節する例示的な方法を示すフロー図である。
【図４】完全にコンプライアンス遵守のタイトレーション間隔の例を示す図である。
【図５】余裕のあるコンプライアンスのタイトレーション間隔の例を示す図である。
【図６】余裕のあるコンプライアンスのタイトレーション間隔のさらなる例を示す図である。
【図７】余裕のあるコンプライアンスのタイトレーション間隔の別の例を示す図である。
【発明を実施するための形態】
【００１９】
概要
状況によっては、糖尿病患者が自らの血糖レベルを毎日検査すると予想するのは妥当ではない。毎日の血糖検査を妨げるいくつかの潜在的な限界が存在することがあり、たとえば以下の事柄を含む：
●  おそらく費用が高すぎることによる、ランセットおよび試験紙などの血糖測定用品の不足；
●  病気；
●  失念；
●  たとえば病気が原因の、服用に対する恐れ；ならびに／または
●  血糖自己測定（ＳＭＢＧ）機器の利用可能性が異なること
【００２０】
こうした状況において、血糖測定レジメンに対する厳密なアドヒアランスは、困難であると証明されることがある。何らかの用量調節が計算される前に、患者は、連続した所定の日数の血糖測定を含む完全な血糖測定サイクルを完了しなくてはならないので、１日に少なくとも１回の血糖測定値を所定の日数（「タイトレーション周期」）にわたって記録するといった厳密な血糖測定レジメンに対するアドヒアランスを守らないことは、結果的に必要な頻度で医薬品用量が調節されないことになってしまう。そのような測定サイクルは、「完全にコンプライアンス遵守のタイトレーション間隔」と呼ぶことができる。
【００２１】
この限界に対処するために、血糖測定値を記録し薬剤用量の提案を行うために使用されるユーザデバイスは、余裕のある投与レジメンに基づき薬剤用量の調節を行うように構成することができる。余裕のあるレジメンは、タイトレーション間隔を良好に完了させるために、ユーザがどの程度厳しくユーザ用量計画に従うべきかに関して、所定の規則を含む。所定の規則は、潜在的な用量調節を受けるために、タイトレーション周期によって規定された時間スパンにわたってユーザが収集しなくてはならない薬剤用量と血糖測定値のペアの必要最小数（「許容可能な最小アドヒアランス」）を含む。たとえば、患者は、３日間にわたって用量と血糖測定値のペアを２つ収集しなくてはならず、２つが許容可能な最小アドヒアランスであり、３日間がタイトレーション周期である。余裕のあるアドヒアランス基準を使用する測定サイクルは、「余裕のあるアドヒアランスタイトレーション間隔」と呼ぶことができる。
【００２２】
タイトレーション周期は、ユーザ用量調節の最短周期として規定される。タイトレーション周期は、ユーザの医療従事者（ＨＣＰ）によって選択することができる。いくつかの実施形態では、タイトレーション周期は、日数として規定される。たとえば、タイトレーション周期は、１日以上〜７日以下であってもよいが、他の範囲も可能である。タイトレーション周期は、本明細書において、調節サイクルタイム期間および／または用量調節周期とも呼ばれる。ユーザが、タイトレーション周期に等しい期間内に、許容可能な最小アドヒアランスを満たすと、用量調節が計算されることになる。
【００２３】
タイトレーション間隔は、ユーザの血糖測定値が評価され潜在的な提案用量の調節が行われる前に、ユーザが同じ薬剤用量を維持している少なくともタイトレーション周期にわたる期間として定義される。提案用量は、前のタイトレーション間隔からのデータに基づき、タイトレーション間隔の開始時に提供される。前のタイトレーション間隔がない場合には、提案用量は、ユーザ用量計画において規定された開始用量である。タイトレーション間隔は、１つまたはそれ以上の所定の事象が発生したことにより、途中で終了してもよい。たとえば、低血糖の血糖測定値が入力されることにより、タイトレーション間隔が途中で終了し、用量調節が行われることになってもよい。
【００２４】
こうして、ユーザの傾向に合わせることができるカスタマイズされた自動の用量推奨機能が、ユーザに提供される。新規の用量推奨を実現するために、可能なすべての間隔においてインスリンなどの薬剤の投与が必要とされるわけではない。用量調節周期に応じて、患者アドヒアランス（およびいくつかの実施形態においては潜在的な警告）の要件は適宜調節される。余裕のある投与レジメン条件に応じて提案用量を決定することにより、非アドヒアランスのユーザのための用量調節の周期を長くすることができる。
【００２５】
全体的なシステムおよび装置の図
図１は、薬剤用量を管理するためのシステム１００の例を示す。
【００２６】
システムは、ユーザに関する用量と血糖測定値のペアを受信するように構成されたユーザコンピューティングデバイス１０２を含む。ユーザデバイスはさらに、受信した用量と血糖測定値のペアが、余裕のある投与レジメンと整合性があるかどうかを確認するように構成される。
【００２７】
ユーザデバイス１０２は、図２に関して説明する方法を実行するように構成される。この方法は、ユーザデバイス１０２上で実行しているアプリケーションによって実行することができる。
【００２８】
ユーザデバイスは、たとえば：携帯電話もしくはタブレットコンピュータなどのモバイルデバイス；パーソナルコンピュータ；ラップトップ；パーソナルデジタルアシスタント；「スマート」デバイス；および／または専用の用量調節デバイスのうちの任意のものであってもよい。
【００２９】
システムはさらに、１つまたはそれ以上の外部コンピューティングデバイス１０４を含んでもよい。ユーザデバイス１０２は、用量調節設定値など、余裕のあるアドヒアランスレジメンに関する設定値データを、外部コンピューティングデバイスからネットワークを介して受信してもよい。外部コンピューティングデバイスは、ユーザの医療従事者（ＨＣＰ）の制御下にあってもよい。
【００３０】
システムはさらに、１つまたはそれ以上の薬剤投与デバイス１０６を含んでもよい。薬剤投与デバイスは、薬剤用量をユーザに投与するように動作可能である。投与された薬剤用量を、薬剤投与デバイス１０６によって記録し、ユーザデバイス１０２に送信してもよい。この投与された用量のデータを、ネットワークを介してユーザデバイス１０２に転送してもよい。代替的にまたは追加的に、投与された用量のデータを、たとえばグラフィカルユーザインターフェースを介して、ユーザデバイス１０２に手入力してもよい。薬剤投与デバイス１０６は、注射デバイスの形態であってもよい。
【００３１】
システムはさらに、１つまたはそれ以上の血糖測定デバイス１０８を含んでもよい。血糖測定デバイス１０８は、ユーザの血糖レベルを検査するように動作可能である。血糖レベルを、血糖測定デバイス１０８によって記録し、ユーザデバイス１０２に送信してもよい。この血糖測定データを、ネットワークを介してユーザデバイス１０２に転送してもよい。代替的にまたは追加的に、血糖測定値を、たとえばグラフィカルユーザインターフェースを介して、ユーザデバイス１０２に手入力してもよい。
【００３２】
いくつかの実施形態では、システムは、１つまたはそれ以上のトークン１１０を含む。トークン１１０を、ユーザデバイス１０２によってスキャンして、設定値データをデバイスに転送することができる。たとえば、トークン１１０は、ユーザデバイス１０２のＲＦＩＤリーダによってスキャンすることができるＲＦＩＤタグを含んでもよい。代替的に、トークン１１０は、ユーザデバイス１０２によってスキャンすることができるバーコードを含んでもよい。
【００３３】
図２は、ユーザデバイス１０２の例示的な電子回路を示す。ユーザデバイス１０２の電子システム２００は、プロセッサユニット２０２を含む。プロセッサユニット２０２および他のハードウェア構成要素は、システムバス（図示せず）によって接続される。各ハードウェア構成要素を、直接またはインターフェースを介してシステムバスに接続してもよい。電源２０４は、電子システムに電力を供給するために配置される。
【００３４】
プロセッサユニット２０２は、電子システム２００の他のハードウェア構成要素の動作を制御する。プロセッサユニット２０２は、任意の種類の集積回路であってもよい。プロセッサユニット２０２は、たとえば汎用プロセッサであってもよい。プロセッサユニット２０２は、シングルコアデバイスまたはマルチコアデバイスであってもよい。プロセッサユニット２０２は、中央処理装置（ＣＰＵ）または汎用プロセッシングユニット（ＧＰＵ）であってもよい。代替的に、プロセッサユニット２０２は、より専門的なユニット、たとえばＲＩＳＣプロセッサ、またはファームウェアが組み込まれたプログラム可能なハードウェアであってもよい。複数のプロセッサを含んでもよい。プロセッサユニット２０２を、処理手段と呼ぶことができる。
【００３５】
電子システム２００は、作業メモリまたは揮発性メモリ２０６を含む。プロセッサユニット２０２は、データを処理するために揮発性メモリ２０６にアクセスしてもよく、メモリへのデータの記憶を制御してもよい。揮発性メモリ２０６は、任意のタイプのＲＡＭ、たとえばスタティックＲＡＭ（ＳＲＡＭ）、ダイナミックＲＡＭ（ＤＲＡＭ）であってもよく、またはフラッシュメモリであってもよい。複数の揮発性メモリを含んでもよいが、図では省略されている。
【００３６】
電子システムは、不揮発性メモリ２０８を含む。不揮発性メモリ２０８は、プロセッサユニットの通常動作を制御するための動作命令２１０のセットを記憶する。不揮発性メモリ２０８は、読取り専用メモリ（ＲＯＭ）、フラッシュメモリ、または磁気ドライブメモリなど、任意の種類のメモリであってもよい。他の不揮発性メモリを含んでもよいが、図では省略されている。
【００３７】
プロセッサユニット２０２は、動作命令２１０の制御下で動作する。動作命令２１０は、電子システム２００のハードウェア構成要素に関するコード（すなわちドライバ）、およびユーザデバイスの基本動作に関するコードを含んでもよい。動作命令２１０は、不揮発性メモリ２０８に記憶された１つまたはそれ以上のソフトウェアモジュールを起動させることもできる。一般的に、プロセッサユニット２０２は、動作命令の実行中に生成されたデータを一時的に記憶するために揮発性メモリ２０６を使用して、不揮発性メモリ２０８に恒久的または半恒久的に記憶された動作命令２１０のうちの１つまたはそれ以上の命令を実行する。動作命令は、プロセッサユニット２０２によって実行されたときに、本明細書に記載の方法のいずれかをユーザデバイスに実行させるコンピュータ読取り可能命令を含んでもよい。
【００３８】
プロセッサユニット２０２、揮発性メモリ２０６、および不揮発性メモリ２０８は、オフチップバスによって接続された別個の集積回路チップとして提供してもよく、または単一の集積回路チップに提供してもよい。プロセッサユニット２０２、揮発性メモリ２０６、不揮発性メモリ２０８を、マイクロコントローラとして提供してもよい。
【００３９】
電子システム２００は、クロック２１２を含む。クロック２１２は、クロック水晶、たとえばクォーツ水晶発振器であってもよい。クロック２１２は、プロセッサユニット２０２にクロック信号を提供するように構成された、プロセッサユニット２０２とは別個の構成要素であってもよい。プロセッサユニット２０２は、クロック２１２からの信号に基づき、リアルタイムクロックを提供するように構成される。代替的に、クロック２１２は、単一の集積回路チップにプロセッサユニット２０２とともに設けられたクロック水晶であってもよい。
【００４０】
電子システム２００は、１つまたはそれ以上のネットワークインターフェース２１４を含む。ネットワークインターフェース２１４は、１つまたはそれ以上のコンピュータネットワークに対するユーザデバイス１０２の接続を容易にし、ユーザデバイス１０２とネットワークの他のメンバとの間で双方向の情報交換を容易にする。これらのネットワークは、インターネット、ローカルエリアネットワーク、またはユーザデバイスがデータセンタおよび／もしくはコンタクトセンタと通信するのに必要な任意の他のネットワークを含んでもよい。ネットワークインターフェース２１４は、イーサネットアダプタ、Ｗｉ−Ｆｉアダプタ、および／またはＢｌｕｅｔｏｏｔｈアダプタなどのネットワークインターフェースコントローラを含む。ネットワークインターフェース２１４は、ネットワーク上でユーザデバイスを識別するための１つまたはそれ以上のネットワークアドレスに関連付けられる。１つまたはそれ以上のネットワークアドレスは、ＩＰアドレス、ＭＡＣアドレス、および／またはＩＰＸアドレスの形であってもよい。ネットワークの他のメンバは、ユーザデータを収集している医療用デバイス１０６、１０８を含んでもよい。
【００４１】
いくつかの実施形態では、ユーザのプロセッサユニット２０２は、本明細書に記載の機能のうちの１つまたはそれ以上を実行するのに充分なほど高性能でなくてもよい。その代わりに、プロセッサユニット２０２は、プロセッサユニット２０２にとって利用可能なより高いコンピューティング性能を有する付加的なコンピュータシステムと、ネットワークインターフェースを介して通信するように構成される。プロセッサユニット２０２は、ユーザデバイスからのデータを付加的なコンピュータシステムに送信することができ、ここでデータは、付加的なコンピュータシステムの付加的なコンピューティング性能を使用して処理することができる。付加的なコンピュータシステムは、この処理の結果を、さらに処理できるようにプロセッサユニットに戻すことができる。付加的なコンピュータシステムは、たとえばリモートコンピュータシステム、分散型コンピュータシステム、またはデータセンタの一部分とすることができる。
【００４２】
電子システム２００はさらに、ディスプレイ２１６を含む。ディスプレイ２１６は、ディスプレイドライバを介してプロセッサユニット２０２によって操作されて、グラフィカルユーザインターフェースをユーザに提供することができる。ディスプレイ２１６は、ＬＣＤスクリーンの形であってもよい。ディスプレイ２１６は、代替的に、ＬＥＤスクリーンの形であってもよい。ディスプレイ２１６は、ユーザデバイス１０２に関するステータス情報をユーザに提供する。このようなステータス情報の例は、ユーザデバイスがどのモードであるか、バッテリ状態、メモリ状態、ネットワーク接続状態、および／または外部電源が接続されているかどうかを含む。ディスプレイ２１６は、ユーザの医薬品スケジュールに関するリマインダをユーザに提供してもよい。たとえば、ユーザ医薬品用量の投与がいつ予定されているかを示すメッセージを、ディスプレイ２１６に提供してもよい。
【００４３】
電子システム２００は、スピーカ２１８を含んでもよい。スピーカ２１８は、オーディオ変換器の一例である。スピーカ２１８は、話し言葉の形、またはより一般的な任意の音の形でオーディオ出力を提供するように動作可能である。スピーカ２１８は、ユーザデバイス１０２および／または医療用デバイス１０６、１０８の使用に関する可聴フィードバックをユーザに提供してもよい。この一例は、医療用デバイス１０６に含まれた医薬品がデバイス１０６においてなくなりかけていることを示す可聴インジケーションである。いくつかの実施形態では、スピーカ２１８は、可聴リマインダをユーザに提供してもよい。たとえば、スピーカ２１８は、予定された医薬品の用量を摂取するように、または血糖測定値を記録するように、ユーザにリマインドしてもよい。
【００４４】
電子システム２００はさらに、１つまたはそれ以上の入力インターフェース２２０を含む。入力インターフェース２２０によって、ユーザはユーザデバイス１０２にデータを入力できるようになる。入力インターフェースの例は、タッチスクリーン、キーボード、数字パッド、１つまたはそれ以上の専用ボタン、および／または音声認識エンジンを含む。
【００４５】
ユーザデバイスは、いくつかの実施形態では、近距離無線通信トランシーバなどのリーダ２２２を含んでもよい。次いで、ＲＦＩＤタグなどの近距離無線通信タグが、ユーザデバイス１０２によって読み取られる。代替的にまたは追加的に、リーダ２２２は、クイックレスポンス（ＱＲ）コードリーダ、バーコードリーダ、または他の光学コードリーダを含んでもよい。リーダ２２２によって、ユーザが使用している医薬品を登録できるようになる。たとえば、カートリッジ、自動注射器（ＡＩ）、ＰＦＳ、および／または錠剤を、リーダ２２２によって読取り可能なＲＦＩＤタグおよび／または光学コードとともに供給してもよい。これにより、ユーザに提供された医薬品の量または医薬品のバッチナンバーといった、ユーザの医薬品在庫に関する情報を提供することができる。さらに、リーダ２２２を使用して、トークン１１０から設定値を受信することができる。
【００４６】
方法のフロー図
図３は、薬剤用量を調節する例示的な方法のフロー図を示す。
【００４７】
作動方法３．１において、ユーザコンピューティングデバイス１０２は、用量調節設定値を受信する。設定値は、調節サイクルタイム期間（すなわちタイトレーション間隔）を含む用量調節周期と、用量と血糖測定値のペアの閾値数を含むユーザアドヒアランス条件とを含む。ユーザアドヒアランス条件は、用量と血糖測定値の１つのペアと、タイトレーション周期との間で、許容可能な最小アドヒアランスを規定する。言い換えれば、ユーザデバイス１０２は、潜在的な用量調節を受けるために、調節サイクルタイム期間によって規定された時間スパンにわたってユーザが収集すべき用量と血糖測定値のペアの最小数を受信する。
【００４８】
たとえば、ユーザは、３日間にわたって用量と血糖測定値のペアを２つ収集すべきであり、２つが許容可能な最小アドヒアランス（すなわち、用量と血糖測定値のペアの閾値数）であり、３日間がタイトレーション周期（すなわち、調節サイクルタイム期間）である。全体的に、余裕のある投与レジメンについては、許容可能な最小アドヒアランスは、タイトレーション周期において可能な用量と血糖測定値のペアの最大数より少ない。
【００４９】
いくつかの実施形態では、ユーザコンピューティングデバイスはさらに、用量調節設定値を受信する。さらなる設定値は、以下の項目のうちの１つまたはそれ以上を含んでもよい：ＦＢＧ範囲および用量調節（固定単位および／またはパーセント）；低血糖／高血糖のレベルの規定；血糖計算法（すなわちタイトレーションの中央値または平均値）；開始用量、たとえば０以上〜５００以下の単位；ユーザにとっての通常用量時間（ＵＤＴ）；および／または最大用量。いくつかの実施形態では、これらのさらなる用量調節設定値データは、ユーザデバイスに事前ロードされる。代替的に、これらのさらなる用量調節設定値データは、設定値データと同じやり方でユーザデバイス１０２によって受信される。
【００５０】
設定値はさらに、調節サイクルタイム期間内の用量と血糖測定値の潜在的なペアの総数の所定の割合を含んでもよい。記録されたペアの数が最小アドヒアランス閾値を上回っていても、調節サイクルタイム期間内の用量と血糖測定値のペアの数をユーザ用量が満たしていない場合に警告を出すために、所定の割合を使用することができる。いくつかの実施形態では、警告は、４日より長いタイトレーション周期に対してのみ出される。いくつかの実施形態では、所定の割合は、用量と血糖測定値の潜在的なペアの総数の最大３分の１である。
【００５１】
ユーザデバイス１０２は、任意の好適な手段を介して設定値を受信することができる。いくつかの実施形態では、ユーザデバイス１０２は、ユーザコンピューティングデバイス１０２上のグラフィカルユーザインターフェースを介して、用量調節設定値を直接受信する。ユーザは、ユーザコンピューティングデバイス１０２に関連する入力デバイスを使用して、用量調節設定値を手入力することができる。
【００５２】
いくつかの実施形態では、用量調節設定値は、外部コンピューティングデバイス１０４などの外部ソースから、ネットワークを介してユーザデバイス１０２に送信される。外部コンピューティングデバイス１０４は、医療従事者の制御下にあってもよい。
【００５３】
いくつかの実施形態では、ユーザコンピューティングデバイス１０２を使用してトークン１１０をスキャンすることができ、このトークン１１０から、ユーザコンピューティングデバイス１０２は用量調節設定値を受信する。トークン１１０は、ユーザの医師など、医療従事者が提供してもよい。医療従事者は、ユーザがユーザデバイス１０２を用いてトークン１１０をスキャンする前に、ユーザに関する特定の設定値でトークン１１０を構成することができる。いくつかの実施形態では、トークンは、ユーザコンピューティングデバイス１０２上の撮像センサによってスキャンすることができるクイックレスポンス（ＱＲ）コードを含む。ＱＲコードを、たとえば医療従事者によってユーザに提供される情報に印刷してもよい。いくつかの実施形態では、トークン１１０は、用量調節設定値を含む無線周波数識別（ＲＦＩＤ）タグを含み、このタグをユーザデバイスのＲＦＩＤタグリーダによってスキャンして設定値を受信することができる。
【００５４】
作動方法３．２において、ユーザデバイスは、用量と血糖測定値のペアを受信する。血糖測定値は、空腹時血糖測定値であってもよいが、他の例も考えられる。
【００５５】
ユーザデバイスは、血糖測定値、薬剤用量値、およびいくつかの実施形態では、暫定的な低血糖値を受信するように構成される。これらの値は、いつどのようにこれらの値が入力、記憶、および／または編集されるかに関する１つまたはそれ以上の規則に関連付けることができる。受信した薬剤用量（すなわち、薬剤用量指標）は、薬剤用量値（すなわち、ユーザによって投与される薬剤の量）と、薬剤用量時間とを含んでもよい。同様に、血糖測定値は、血糖レベルと測定時間（すなわち、ユーザが測定値を取得した時間）とを含んでもよい。
【００５６】
用量と血糖値のペアは、ユーザデバイスのグラフィカルユーザインターフェースを介して、ユーザが手入力してもよい。たとえば、ユーザデバイス１０２は、タッチスクリーンディスプレイを有してもよく、これを介して、ユーザは、投与された用量のデータおよび／または血糖測定データを入力することができる。ユーザデバイス１０２は、数字パッドまたはキーボードなどの入力手段を含んでもよく、これらを介して、ユーザはデータを入力することができる。
【００５７】
いくつかの実施形態では、ユーザデバイス１０２は、投与された用量のデータを、薬剤投与デバイス１０６からネットワークインターフェースを介して受信するように構成される。ユーザデバイス１０２を、ワイヤレスネットワークなどのネットワークを介して、薬剤投与デバイス１０６に接続してもよい。ワイヤレスネットワークは、たとえばＷｉ−Ｆｉネットワークおよび／またはＢｌｕｅｔｏｏｔｈ（商標）ネットワークであってもよい。
【００５８】
いくつかの実施形態では、ユーザデバイス１０２は、血糖測定データを、血糖測定デバイス１０８からネットワークインターフェースを介して受信するように構成される。ユーザデバイス１０２を、ワイヤレスネットワークなどのネットワークを介して、血糖測定デバイス１０８に接続してもよい。ワイヤレスネットワークは、たとえばＷｉ−Ｆｉネットワークおよび／またはＢｌｕｅｔｏｏｔｈ（商標）ネットワークであってもよい。
【００５９】
用量と血糖測定のペアは、いくつかの実施形態では、単一の入力として一緒に受信してもよい。他の実施形態では、薬剤用量と血糖測定値は、コンピューティングデバイスによって個別に受信される。ユーザは、薬剤用量と血糖測定値を手動で関連付けて、ペアを作り出してもよい。いくつかの実施形態では、コンピューティングデバイスは、受信した薬剤用量と血糖測定値とを自動的に関連付けて、１つまたはそれ以上の所定の基準に基づきペアを作り出すように構成することができる。
【００６０】
たとえば、所定の基準は、薬剤用量時間と測定時間に関係してもよい。たとえば、薬剤用量時間と測定時間が所定の時間範囲内に生じている場合には、これらを関連付けてペアを形成してもよい。薬剤用量が、第１の時間範囲内に有効に受信され、血糖測定値が、第２の時間範囲内に受信された場合には、薬剤用量と血糖測定値を関連付けてペアを形成する。第２の時間範囲は、第１の時間範囲に応じて異なってもよい。たとえば、以下で規定するように、有効に受信された薬剤用量に続き、第２の時間範囲は、血糖測定値を有効に入力できる時間範囲であってもよい。
【００６１】
いくつかの実施形態では、「通常用量時間」（ＵＤＴ）をユーザに提供してもよい。ＵＤＴは、ユーザ用量計画において規定された時刻であって、その前後に、ユーザが用量提案をユーザデバイス１０２から取得し、薬剤の用量を摂取し、ユーザデバイス１０２に用量を記録するべき時刻を規定する。ＵＤＴは、毎日同じであってもよい。代替的に、ＵＤＴは日ごとに異なってもよい。ＵＤＴを中心としてＵＤＴ窓が規定され、これは、ユーザが薬剤用量を記録することができる各日の時間窓を規定する。たとえば、ＵＤＴ窓は、ＵＤＴを中心とした時間範囲を含んでもよい。半分の窓時間「Ｗ」を規定してもよく、それにより、ＵＤＴ窓は、第１の時間ＵＤＴ−Ｗで始まり、第２の時間ＵＤＴ＋Ｗで終わる。いくつかの実施形態では、Ｗは３時間に等しく、ＵＤＴを中心として６時間のＵＤＴ窓が提供される。
【００６２】
いくつかの実施形態では、１日につき１回の薬剤用量しか記録することが許可されない。各用量値を、用量が投与された時間に関連付けてもよい。通常用量時間窓の間に、デバイスは、用量値と用量が投与された時間とを受信してもよい。いくつかの実施形態では、１つの通常用量窓につき１つの用量値しか許可されない。いくつかの実施形態では、用量値は、用量時間窓内にしか許可しなくてもよい。たとえば、用量投与時間は、有効な用量値とみなされるために、ある時間範囲内になくてはならない。時間範囲は、１つまたはそれ以上の以下の事象によって、その最も早い時間を区切ることができる：
●  現在の通常用量時間窓の開始；
●  前の通常用量時間から、用量提案窓の割合を引いた時間。いくつかの実施形態では、この割合は、用量窓の半分、たとえば６時間の用量窓のうち３時間である；
●  前の血糖測定時間；および／または
●  前の用量計画の有効化時間。
これらの事象のうち最新の事象を使用して、範囲の最も早い時間を規定することができる。範囲の最も遅い時間は、現在時間（すなわち、用量値が受信された時間）によって区切ることができる。
【００６３】
いくつかの実施形態では、用量値は、１つまたはそれ以上の編集規則に関連付けられる。編集規則は、いつどのように用量値を編集できるかを指定する。たとえば、用量値は、用量値の受信から現在の通常用量時間窓の終了まで；用量値の受信から次の血糖測定の時間まで；および／または用量値の受信から次の用量計画の有効化の時間までのうちの１つまたはそれ以上の時間窓内でのみ、編集してもよい。
【００６４】
いくつかの実施形態では、１日につき１回の血糖測定しか許可されない。血糖測定は、１日のうちの測定時間窓内にしか許可しなくてもよい。たとえば、測定時間は、有効な血糖測定値とみなされるために、ある時間範囲内になくてはならない。時間範囲は、１つまたはそれ以上の以下の事象によって、その最も早い時間を区切ることができる：
●  前のＵＤＴ＋Ｗの時間；
●  前の用量時間窓の終了；
●  前の薬剤用量時間；
●  前の用量計画の有効化時間；および／または
●  当日のための繰り越し時間。
これらの事象のうち最新の事象を使用して、範囲の最も早い時間を規定することができる。範囲の最も遅い時間は、現在時間（すなわち、血糖測定値が受信された時間）によって区切ることができる。
【００６５】
いくつかの実施形態では、血糖測定値は、１つまたはそれ以上の編集規則に関連付けられる。編集規則は、いつどのように血糖測定値を編集できるかを指定する。たとえば、以下の規則のうちの１つまたはそれ以上を適用してもよい：
●  血糖測定値が低血糖である場合には、確定後にそれをユーザによって編集することはできない；かつ／または
●  血糖測定値が低血糖でない場合には、所定の期間内にそれを編集することができる。所定の期間は、測定値の受信後から、以下の事象、すなわち次の用量値が受信される時間；次の通常用量時間窓（すなわち、次のＵＤＴ＋Ｗ）の終了；および／または当日のための繰り越し時間のうちの１つまたはそれ以上が生じるまでの期間を含んでもよい。これらの事象のうち最も早い事象が、所定の期間を規定してもよい。
【００６６】
非アドヒアランス期間は、用量と血糖測定値のペアをユーザがユーザデバイスを用いて記録していない期間である。非アドヒアランス期間を判定するために、以下の基準、すなわち血糖測定値の欠如、薬剤用量の欠如、および／またはコンピューティングデバイスによって提供された提案用量とは異なる薬剤用量のうちの１つまたはそれ以上を使用してもよい。
【００６７】
血糖測定値の欠如が生じたと判定されるのは、薬剤用量の受信後および次のＵＤＴ窓の終了後（すなわち、タイトレーション日（Ｎ−１）の用量とＮ日目のＵＤＴ窓の終了との間）、ならびに／または次の薬剤用量（すなわち、Ｎ日目の用量）が受信される前に、血糖測定値が受信されないときである。
【００６８】
用量の欠如が生じたと判定されるのは、当日の薬剤用量がＵＤＴ窓の終了時までに入力されていない場合（すなわち、Ｎ日目について薬剤用量が記録されていない状態で、Ｎ日目のＵＤＴ＋Ｗに到達した場合）である。
【００６９】
いくつかの実施形態では、ユーザにとって薬剤用量の安全範囲を示す安全な閾値が提供される。たとえば、安全な閾値は、ユーザにとって安全な最大用量および／または最小用量を含んでもよい。受信した用量と血糖測定値のペアが、安全な閾値の外側にある薬剤用量の量を含む場合には、修正警告をユーザに発することができる。修正警告は、誤った用量の修正のしかたに関する命令を含んでもよい。修正警告は、ユーザの医療従事者に連絡するための命令を含んでもよい。いくつかの実施形態では、修正警告は、ユーザの医療従事者にも送信してよい。
【００７０】
いくつかの実施形態では、コンピューティングデバイスは、１つまたはそれ以上の暫定的な低血糖の血糖測定値を受信することができる。低血糖の血糖測定値は、ユーザ用量計画によって規定された低血糖の閾値の、またはその閾値を下回る、ユーザによって記録された血糖読取り値である。いくつかの実施形態では、ユーザは、暫定的な低血糖の血糖測定値を希望する数だけ入力してもよい。これらの低血糖の血糖測定値は、受信され、確定されると、ユーザによって編集することができない。
【００７１】
作動方法３．３において、ユーザデバイスは、用量と血糖測定値のペアの総数が、現在の調節サイクルタイム期間の閾値を満たすかどうかを判定する。
【００７２】
現在の調節サイクルタイム期間は、様々なやり方で規定することができる。いくつかの実施形態では、「ローリング」調節サイクルタイム期間が使用される。代替的に、「固定」調節サイクルタイム期間を使用することができる。
【００７３】
ローリング調節サイクルタイム期間の設定時には、コンピューティングデバイスは、最新の用量と血糖測定値のペアを受信する前の、調節サイクルタイム期間に等しい期間に受信した用量と血糖測定値のペアの総数が、閾値を満たすかどうかを確認する。言い換えれば、現在の調節サイクルタイム期間は、現在時間より前の調節サイクルタイムから現在時間までの期間を含む。いくつかの実施形態では、ローリング調節サイクルタイム期間は、タイトレーション間隔の開始後、所定の期間（たとえば、タイトレーション周期）後まで開始されない。
【００７４】
固定時間の調節サイクルタイム期間の設定時には、所定の事象が、現在の調節サイクルタイム期間を開始させる。たとえば、用量と血糖測定値の最初のペアを受信したことにより、第１の現在の調節サイクルタイム期間を開始してもよい。用量調節は、固定時間の調節サイクルタイム期間が経過するまで実行されない。
【００７５】
固定時間の調節サイクルタイム期間を使用するいくつかの実施形態では、ユーザデバイス１０２は、用量と血糖測定値のペアの閾値数を現在の調節サイクルタイム期間内に満たすことができるかどうかを判定する。閾値数を、現在の調節サイクルタイム期間内に満たすことができない場合には、新規の調節サイクルタイム期間が開始される。たとえば、タイトレーション周期が５日であり、最小アドヒアランス閾値が３つのペアである。タイトレーション間隔の開始後、第１のペアが第２日から第３日にわたって記録される。第３日から第４日にわたってペアが記録されない。この場合、現在の調節サイクルタイム期間内にあと１つのペアしか記録できないので、ユーザデバイスは、現在の調節サイクルタイム期間内に閾値数である３つのペアを満足するのは不可能であると判定する。したがって、新規の調節サイクルタイム期間が開始される。
【００７６】
いくつかの実施形態では、用量調節が出力された後、コンピューティングデバイスは、新規の調節サイクルタイム期間／タイトレーション間隔を開始する。柔軟なアドヒアランス条件であることから、用量の欠如および／または血糖測定値の欠如によって、新規の調節サイクルタイム期間／タイトレーション間隔が開始されることにはならない。
【００７７】
新規の用量計画が有効にされる場合には、現在のタイトレーション間隔が終了してもよく、新規のタイトレーション間隔が新規の用量計画とともに開始される。ＵＤＴ窓内にある間に用量計画が有効にされた場合には、新規のタイトレーション間隔が即座に始まってもよい。ＵＤＴ窓外で用量計画が有効にされた場合には、新規のタイトレーション間隔は、有効化後の次のタイトレーション日に開始される。
【００７８】
タイトレーション間隔の例は、図４〜図７を参照しながら以下でより詳細に示される。
【００７９】
いくつかの実施形態では、ユーザデバイスはまた、用量と血糖測定値のペアの総数が、調節サイクルタイム期間内の潜在的な血糖測定値の総数の所定の割合より少ないかどうかを判定し；肯定の判定に応答して、警告を出させてもよい。
【００８０】
作動方法３．４において、コンピューティングデバイスは、用量調節が必要かどうかを、用量と血糖測定値のペアに基づき判定する。
【００８１】
所定の事象のうちの１つまたはそれ以上によって、タイトレーション間隔／現在の調節サイクルタイム期間を終了することができ、用量調節が行われることになる。そのような事象の１つは、タイトレーション間隔が良好に完了することである。血糖測定値は、完了したばかりのタイトレーション間隔から収集される。平均値またはタイトレーション中央値を使用して、用量調節を検索するための血糖値が導き出される。いくつかの実施形態では、ゼロ単位の調節が可能であることに留意すべきである。いくつかの実施形態では、低血糖の血糖測定値によっても、タイトレーション間隔が終了してもよい。低血糖の血糖測定値自体を使用して、用量調節が検索される。複数の低血糖の血糖測定値は、用量調節に対して非累積的な影響を有し、最低値のみが使用される。
【００８２】
用量調節は、所定の規則のセットに基づき判定される。これらの規則は、たとえばユーザの医療従事者からユーザデバイスによって受信されて、これらの規則を特定のユーザに合わせられるようにしてもよい。用量調節は、ユーザの薬剤用量を増加／減少させるための単位数として提供してもよい。用量調節は、状況によっては、ゼロ単位であってもよい。
【００８３】
いくつかの実施形態では、調節済み用量は、用量提案の単位調節として計算される。特定の血糖測定値向けの用量計画が単位調節（たとえば、＋２単位または−３単位）を必要とする場合、この調節がユーザデバイス１０２を介してユーザに対して出力される。調節は、前のタイトレーション間隔の開始時に提案された用量（すなわち、最後の用量提案）から行われる。
【００８４】
いくつかの実施形態では、代替的にまたは追加的に、調節済み用量は、用量提案のパーセント調節として計算される。結果的に得られる血糖測定値向けの用量計画が、パーセント調節（たとえば、＋１０％または−２０％）を必要とする場合、調節は最後の用量提案に適用される。用量調節は、最も近い単位まで切り捨てられる。例示的な説明として：５．８単位は、切り捨てられて５単位になり；５．１は切り捨てられて５単位になり；−５．１は切り捨てられて−６単位になり；かつ／または−５．８は切り捨てられて−６単位になる。
【００８５】
いくつかの実施形態では、パーセントの用量調節は常に、少なくとも１単位分、用量提案を調節することになる。たとえば：最後の用量提案５単位が、＋１０％分調節される場合には、新規の用量提案は６単位であり；最後の用量提案０単位が、１％分調節される場合には、新規の用量提案は１単位であり；かつ／または最後の用量提案５単位が、−１％分調節される場合には、新規の用量提案は４単位である。
【００８６】
提案用量は、用量計画によって設定された最大用量を超えなくてもよい。たとえば、用量調節計算により、薬剤用量が、用量計画によって設定された最大用量より多くなるように調節されるべきであることが示される場合には、用量調節は、その最大用量になる調節を上限とする。
【００８７】
用量計画には、有効期限があってもよい。用量計画の有効期限に到達すると、ユーザは、用量調節を得るためにユーザデバイス１０２を使用することができなくなる。いくつかの実施形態では、用量計画の終わりに達したとき、自動通知を生成してもよい。自動通知は、たとえば、ユーザの医療従事者に連絡して用量計画を更新するようユーザに要求してもよく、かつ／またはユーザの医療従事者の元に行くようユーザに知らせてもよい。
【００８８】
作動方法３．５において、調節済み薬剤用量が出力される。用量は、デバイスのディスプレイを介して出力される。次いでユーザは、用量を薬剤送達デバイスに手入力することができ、それにより薬剤送達デバイスは、ユーザによって使用されるときに調節済み用量を提供することになる。
【００８９】
いくつかの実施形態では、デバイスは、ネットワークインターフェースを介して、調節済み用量を薬剤送達デバイスに出力してもよい。たとえば、調節済み用量は、Ｗｉ−ＦｉまたはＢｌｕｅｔｏｏｔｈなどのワイヤレスネットワークを介して、デバイスから薬剤送達デバイスに送信される。調節済み用量を受信したことに応答して、薬剤送達デバイスは、自動的に用量設定値を調節することができる。
【００９０】
いくつかの実施形態では、用量調節が必要であると判定され、使用されない期間が発生する場合には、新規の用量推奨が、次の可能なＵＤＴにおいてなお行われる。たとえば、許容可能な最小アドヒアランスが５つのペア、およびタイトレーション周期が７日に設定されている場合には：
●  月曜日朝に有効化。タイトレーション間隔を開始する。
●  ペア１  −  月曜日夜の用量、火曜日朝のＦＢＧ。
●  ペア２  −  火曜日夜の用量、水曜日朝のＦＢＧ。
●  ペア３  −  水曜日夜の用量、木曜日朝のＦＢＧ。
●  ペア４  −  木曜日夜の用量、金曜日朝のＦＢＧ。
●  ペア５  −  金曜日夜の用量、土曜日朝のＦＢＧ。
●  土曜日夜、ＵＤＴ内でアプリを開く。タイトレーション間隔の開始から７日経過していないので、用量調節はなし。用量は摂取されず。
●  日曜日夜、ＵＤＴ内でアプリを開く。タイトレーション間隔の開始から７日経過していないので、用量調節はなし。用量は摂取されず。
●  数週間にわたりアプリの使用なし。タイトレーション間隔内で７日間にわたって５つのペアが収集されたので、ＵＤＴ窓内で次回アプリが開かれたとき、新規の用量推奨が行われる。
【００９１】
図４は、完全にコンプライアンス遵守のタイトレーション間隔の例を示す。完全にコンプライアンス遵守のタイトレーション間隔４００では、用量と血糖測定値の１つのペア４０２が、１日ごとに、タイトレーション周期４０４に等しい日数にわたって記録される。示された例では、タイトレーション周期は３日に設定され、それによりタイトレーション間隔を完了するために用量と血糖測定値の３つのペア４０２ａ、４０２ｂ、４０２ｃが収集される。しかし、タイトレーション周期４０４は、任意の好適な期間であってもよい。用量と血糖測定値の第３のペア４０２ｃを収集すると、ユーザデバイスは、医薬品用量の調節が必要かどうかを判定し、調節済み医薬品用量４０６を出力する。次いで、新規のタイトレーション間隔が開始される４０８。
【００９２】
図５は、余裕のある投与レジメンのタイトレーション間隔５００の例を示す。この例では、タイトレーション周期５０４は３日であり、最小アドヒアランス閾値は２つの血糖測定値である。しかし、タイトレーション周期５０４は、任意の好適な期間とすることができ、最小アドヒアランス閾値は、タイトレーション周期において可能なコンプライアンス遵守のペアの最大数より少ない任意の数とすることができる。
【００９３】
タイトレーション間隔５００の開始に続き、用量と血糖測定値の第１のペア５０２ａが、タイトレーション間隔の第１日から第２日にわたって記録される。第２の用量５１０が、タイトレーション間隔の第２日に記録されるが、ペアになることができる対応する血糖測定値は記録されない。第３の用量が、タイトレーション間隔の第３日に記録される。その後、第２の血糖測定値が記録され（この例では、タイトレーション間隔の４日目）、この血糖測定値が第３の用量とペアになり、用量と血糖測定値の第２のペア５０２ｂが作り出される。タイトレーション周期５０４に等しい期間内で最小アドヒアランス閾値（この場合には２つのペア）が満たされているので、コンピューティングデバイスは、用量調節が必要かどうかを判定する。次いで、用量調節５０６が出力される。新規のタイトレーション間隔５０８が、４日目に開始される。したがって、タイトレーション間隔５００は３日間である。
【００９４】
いくつかの実施形態では、タイトレーション間隔５００は、最小アドヒアランス閾値が満たされたとき終了する。たとえば、図５の例の第２の用量５１０の後に、それとペアになることができる血糖測定値があれば、タイトレーション間隔５００は、タイトレーション周期５０４に等しい期間が経過するのを待つことなく、タイトレーション間隔の２日目に終了することになる。したがって、新規のタイトレーション間隔５０８は、２日目に開始される。
【００９５】
代替的に、いくつかの実施形態では、タイトレーション間隔５００は、タイトレーション周期５０４に少なくとも等しい期間が経過してからしか終了しなくてもよい。たとえば、図５の例の第２の用量５１０の後に、それとペアになることができる血糖測定値があったとしても、タイトレーション周期５０４に等しい期間（すなわち、タイトレーション間隔の開始から３日）が経過するまで用量調節５０６は行われない。
【００９６】
図６は、余裕のある投与レジメンのタイトレーション間隔６００のさらなる例を示す。この例において、タイトレーション周期６０４は、この場合も３日であり、最小アドヒアランス閾値は２つの血糖測定値である。この例では、ローリング調節サイクルタイム期間が使用される。
【００９７】
タイトレーション間隔の開始に続き、第１の血糖測定値６１０が、タイトレーション間隔の２日目にコンピューティングデバイスによって受信される。しかし、この血糖測定値とペアになることができる用量が記録されていない。次いで、第１の薬剤用量６１２が、第１の血糖測定値６１０の後の時点で２日目に記録される。第１の用量６１２とペアになることができる血糖測定値は記録されない。
【００９８】
その後、アドヒアランスな第１のペア６０２ａが、タイトレーション間隔の３日目から４日目にわたって記録される。次いで、ユーザデバイス１０２は、タイトレーション周期６０４（この例では３日）に等しい前の日数にわたって最小アドヒアランス閾値（この場合には２つのペア）が満たされているかどうかを確認する。この例では、前のペアが記録されていないので、最小アドヒアランス閾値が満たされていない。したがって、用量調節は４日目には実行されない。
【００９９】
アドヒアランスな第２のペア６０２ｂが、タイトレーション間隔６００の３日目から４日目にわたって記録される。ユーザデバイス１０２は、タイトレーション周期６０４（この例では３日）に等しい前の日数にわたって最小アドヒアランス閾値（この場合には２つのペア）が満たされているかどうかを確認する。この例では、アドヒアランスな第１のペア６０２ａがこの期間内に記録されているので、最小アドヒアランス閾値が満たされる。したがって、用量調節６０６が５日目に判定される。次いで、新規のタイトレーション間隔６０８が開始される。
【０１００】
図７は、余裕のあるコンプライアンスのタイトレーション間隔の別の例を示す。この例において、タイトレーション周期７０４は、この場合も３日であり、最小アドヒアランス閾値は２つの血糖測定値である。
【０１０１】
タイトレーション間隔７００の開始に続き、用量と血糖測定値の第１のペア７０２ａが、タイトレーション間隔７００の第３日から第４日にわたって記録される。次いで、ユーザデバイス１０２は、タイトレーション周期７０４（この例では３日）に等しい前の日数にわたって最小アドヒアランス閾値（この場合には２つのペア）が満たされているかどうかを確認する。この例では、前のペアが記録されていないので、最小アドヒアランス閾値が満たされていない。したがって、用量調節は４日目には実行されない。
【０１０２】
用量と血糖測定値の第２のペア７０２ｂが、タイトレーション間隔７００の第７日から第８日にわたって記録される。次いで、ユーザデバイス１０２は、タイトレーション周期７０４に等しい前の日数にわたって最小アドヒアランス閾値が満たされているかどうかを確認する。この例では、記録された第１のペア７０２ａと第２のペア７０２ｂとの間に、３日間の非アドヒアランスな日があるので、最小アドヒアランス閾値は満たされていない。したがって、用量調節は８日目には実行されない。
【０１０３】
アドヒアランスな第３のペア７０２ｃが、タイトレーション間隔７００の８日目から９日目にわたって記録される。ユーザデバイス１０２は、タイトレーション周期７０４に等しい前の日数にわたって最小アドヒアランス閾値が満たされているかどうかを確認する。この例では、アドヒアランスな第２のペア７０２ｂがこの期間内に記録されているので、最小アドヒアランス閾値が満たされる。したがって、用量調節７０６が９日目に判定される。次いで、新規のタイトレーション間隔７０８が開始される。
【０１０４】
「薬物」または「薬剤」という用語は、本明細書では同義的に用いられ、１つもしくはそれ以上の活性医薬成分またはそれらの薬学的に許容可能な塩もしくは溶媒和物と、場合により薬学的に許容可能な担体と、を含む医薬製剤を記述する。活性医薬成分（「ＡＰＩ」）とは、最広義には、ヒトまたは動物に対して生物学的効果を有する化学構造体のことである。薬理学では、薬剤または医薬は、疾患の治療、治癒、予防、または診断に使用されるか、さもなければ身体的または精神的なウェルビーイングを向上させるために使用される。薬物または薬剤は、限定された継続期間で、または慢性障害では定期的に使用可能である。
【０１０５】
以下に記載されるように、薬物または薬剤は、１つもしくはそれ以上の疾患の治療のために各種タイプの製剤中に少なくとも１つのＡＰＩまたはその組合せを含みうる。ＡＰＩの例としては、５００Ｄａ以下の分子量を有する低分子、ポリペプチド、ペプチド、およびタンパク質（たとえば、ホルモン、成長因子、抗体、抗体フラグメント、および酵素）、炭水化物および多糖、ならびに核酸、二本鎖または一本鎖ＤＮＡ（ネイキッドおよびｃＤＮＡを含む）、ＲＮＡ、アンチセンス核酸たとえばアンチセンスＤＮＡおよびＲＮＡ、低分子干渉ＲＮＡ（ｓｉＲＮＡ）、リボザイム、遺伝子、およびオリゴヌクレオチドが挙げられうる。核酸は、ベクター、プラスミド、またはリポソームなどの分子送達システムに取り込み可能である。１つまたはそれ以上の薬物の混合物も企図される。
【０１０６】
薬物または薬剤は、薬物送達デバイスでの使用に適合化された一次パッケージまたは「薬物容器」に包含可能である。薬物容器は、たとえば、１つもしくはそれ以上の薬物の収納（たとえば、短期または長期の収納）に好適なチャンバを提供するように構成されたカートリッジ、シリンジ、リザーバ、または他の硬性もしくは可撓性のベッセルでありうる。たとえば、いくつかの場合には、チャンバは、少なくとも１日間（たとえば、１日間〜少なくとも３０日間）にわたり薬物を収納するように設計可能である。いくつかの場合には、チャンバは、約１カ月〜約２年間にわたり薬物を収納するように設計可能である。収納は、室温（たとえば、約２０℃）または冷蔵温度（たとえば、約−４℃〜約４℃）で行うことが可能である。いくつかの場合には、薬物容器は、投与される医薬製剤の２つ以上の成分（たとえば、ＡＰＩと希釈剤、または２つの異なる薬物）を各チャンバに１つずつ個別に収納するように構成されたデュアルチャンバカートリッジでありうるか、またはそれを含みうる。かかる場合には、デュアルチャンバカートリッジの２つのチャンバは、人体もしくは動物体への投薬前および／または投薬中に２つ以上の成分間の混合が可能になるように構成可能である。たとえば、２つのチャンバは、互いに流体連通するように（たとえば、２つのチャンバ間の導管を介して）かつ所望により投薬前にユーザによる２つの成分の混合が可能になるように構成可能である。代替的または追加的に、２つのチャンバは、人体または動物体への成分の投薬時に混合が可能になるように構成可能である。
【０１０７】
本明細書に記載の薬物送達デバイスに含まれる薬物または薬剤は、多くの異なるタイプの医学的障害の治療および／または予防のために使用可能である。障害の例としては、たとえば、糖尿病または糖尿病に伴う合併症たとえば糖尿病性網膜症、血栓塞栓障害たとえば深部静脈血栓塞栓症または肺血栓塞栓症が挙げられる。障害のさらなる例は、急性冠症候群（ＡＣＳ）、アンギナ、心筋梗塞、癌、黄斑変性、炎症、枯草熱、アテローム硬化症および／または関節リウマチである。ＡＰＩおよび薬物の例は、ローテリステ２０１４年（Ｒｏｔｅ  Ｌｉｓｔｅ  ２０１４）（たとえば、限定されるものではないがメイングループ１２（抗糖尿病薬剤）または８６（オンコロジー薬剤））やメルク・インデックス第１５版（Ｍｅｒｃｋ  Ｉｎｄｅｘ，１５ｔｈ  ｅｄｉｔｉｏｎ）などのハンドブックに記載されているものである。
【０１０８】
１型もしくは２型糖尿病または１型もしくは２型糖尿病に伴う合併症の治療および／または予防のためのＡＰＩの例としては、インスリン、たとえば、ヒトインスリン、もしくはヒトインスリンアナログもしくは誘導体、グルカゴン様ペプチド（ＧＬＰ−１）、ＧＬＰ−１アナログもしくはＧＬＰ−１レセプターアゴニスト、はそのアナログもしくは誘導体、ジペプチジルペプチダーゼ−４（ＤＰＰ４）阻害剤、またはそれらの薬学的に許容可能な塩もしくは溶媒和物、またはそれらのいずれかの混合物が挙げられる。本明細書で用いられる場合、「アナログ」および「誘導体」という用語は、天然に存在するペプチドに存在する少なくとも１つのアミノ酸残基の欠失および／または交換によりおよび／または少なくとも１つのアミノ酸残基の付加により天然に存在するペプチドの構造たとえばヒトインスリンの構造から形式的に誘導可能な分子構造を有するポリペプチドを指す。付加および／または交換アミノ酸残基は、コード可能アミノ酸残基または他の天然に存在する残基または純合成アミノ酸残基のどれかでありうる。インスリンアナログは、「インスリンレセプターリガンド」とも呼ばれる。特に、「誘導体」という用語は、天然に存在するペプチドの構造から形式的に誘導可能な分子構造、たとえば、１つまたはそれ以上の有機置換基（たとえば脂肪酸）がアミノ酸の１つまたはそれ以上に結合したヒトインスリンの分子構造を有するポリペプチドを指す。場合により、天然に存在するペプチドに存在する１つまたはそれ以上のアミノ酸が、欠失し、および／または非コード可能アミノ酸を含めて他のアミノ酸によって置き換えられ、または天然に存在するペプチドに非コード可能なものを含めてアミノ酸が付加される。
【０１０９】
インスリンアナログの例は、Ｇｌｙ（Ａ２１）、Ａｒｇ（Ｂ３１）、Ａｒｇ（Ｂ３２）ヒトインスリン（インスリングラルギン）；Ｌｙｓ（Ｂ３）、Ｇｌｕ（Ｂ２９）ヒトインスリン（インスリングルリジン）；Ｌｙｓ（Ｂ２８）、Ｐｒｏ（Ｂ２９）ヒトインスリン（インスリンリスプロ）；Ａｓｐ（Ｂ２８）ヒトインスリン（インスリンアスパルト）；位置Ｂ２８のプロリンがＡｓｐ、Ｌｙｓ、Ｌｅｕ、ＶａｌまたはＡｌａに置き換えられたうえに位置Ｂ２９のＬｙｓがＰｒｏに置き換えられていてもよいヒトインスリン；Ａｌａ（Ｂ２６）ヒトインスリン；Ｄｅｓ（Ｂ２８〜Ｂ３０）ヒトインスリン；Ｄｅｓ（Ｂ２７）ヒトインスリンおよびＤｅｓ（Ｂ３０）ヒトインスリンである。
【０１１０】
インスリン誘導体の例は、たとえば、Ｂ２９−Ｎ−ミリストイル−ｄｅｓ（Ｂ３０）ヒトインスリン、Ｌｙｓ（Ｂ２９）（Ｎ−テトラデカノイル）−ｄｅｓ（Ｂ３０）ヒトインスリン（インスリンデテミル、レベミル（Ｌｅｖｅｍｉｒ）（登録商標））；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−ガンマ−グルタミル）−ｄｅｓ（Ｂ３０）ヒトインスリン、Ｂ２９−Ｎ−オメガ−カルボキシペンタデカノイル−ガンマ−Ｌ−グルタミル−ｄｅｓ（Ｂ３０）ヒトインスリン（インスリンデグルデク、トレシーバ（Ｔｒｅｓｉｂａ）（登録商標））；Ｂ２９−Ｎ−（Ｎ−リトコリル−ガンマ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリンおよびＢ２９−Ｎ−（ω−カルボキシヘプタデカノイル）ヒトインスリンである。
【０１１１】
ＧＬＰ−１、ＧＬＰ−１アナログおよびＧＬＰ−１レセプターアゴニストの例は、たとえば、リキシセナチド（リキスミア（Ｌｙｘｕｍｉａ）（登録商標））、エキセナチド（エキセンジン−４、バイエッタ（Ｂｙｅｔｔａ）（登録商標）、ビデュリオン（Ｂｙｄｕｒｅｏｎ）（登録商標）、ヒラモンスターの唾液腺により産生される３９アミノ酸ペプチド）、リラグルチド（ビクトーザ（Ｖｉｃｔｏｚａ）（登録商標））、セマグルチド、タスポグルチド、アルビグルチド（シンクリア（Ｓｙｎｃｒｉａ）（登録商標））、デュラグルチド（トルリシティ（Ｔｒｕｌｉｃｉｔｙ）（登録商標））、ｒエキセンジン−４、ＣＪＣ−１１３４−ＰＣ、ＰＢ−１０２３、ＴＴＰ−０５４、ラングレナチド／ＨＭ−１１２６０Ｃ、ＣＭ−３、ＧＬＰ−１エリゲン、ＯＲＭＤ−０９０１、ＮＮ−９９２４、ＮＮ−９９２６、ＮＮ−９９２７、ノデキセン、ビアドール−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド−ＸＴＥＮおよびグルカゴン−Ｘｔｅｎである。
【０１１２】
オリゴヌクレオチドの例は、たとえば、家族性高コレステロール血症の治療のためのコレステロール低下アンチセンス治療剤ミポメルセンナトリウム（キナムロ（Ｋｙｎａｍｒｏ）（登録商標））である。
【０１１３】
ＤＰＰ４阻害剤の例は、ビダグリプチン、シタグリプチン、デナグリプチン、サキサグリプチン、ベルベリンである。
【０１１４】
ホルモンの例としては、脳下垂体ホルモンもしくは視床下部ホルモンまたはレギュラトリー活性ペプチドおよびそれらのアンタゴニスト、たとえば、ゴナドトロピン（フォリトロピン、ルトロピン、コリオンゴナドトロピン、メノトロピン）、ソマトロピン（Ｓｏｍａｔｒｏｐｉｎｅ）（ソマトロピン（Ｓｏｍａｔｒｏｐｉｎ））、デスモプレシン、テルリプレシン、ゴナドレリン、トリプトレリン、リュープロレリン、ブセレリン、ナファレリン、およびゴセレリンが挙げられる。
【０１１５】
多糖の例としては、グルコサミノグリカン、ヒアルロン酸、ヘパリン、低分子量ヘパリンもしくは超低分子量ヘパリンもしくはそれらの誘導体、もしくは硫酸化多糖たとえばポリ硫酸化形の上述した多糖、および／またはそれらの薬学的に許容可能な塩が挙げられる。ポリ硫酸化低分子量ヘパリンの薬学的に許容可能な塩の例は、エノキサパリンナトリウムである。ヒアルロン酸誘導体の例は、ハイランＧ−Ｆ２０（シンビスク（Ｓｙｎｖｉｓｃ）（登録商標））、ヒアルロン酸ナトリウムである。
【０１１６】
本明細書で用いられる「抗体」という用語は、イムノグロブリン分子またはその抗原結合部分を指す。イムノグロブリン分子の抗原結合部分の例としては、抗原への結合能を保持するＦ（ａｂ）およびＦ（ａｂ’）２フラグメントが挙げられる。抗体は、ポリクローナル抗体、モノクローナル抗体、組換え抗体、キメラ抗体、脱免疫化もしくはヒト化抗体、完全ヒト抗体、非ヒト（たとえばネズミ）抗体、または一本鎖抗体でありうる。いくつかの実施形態では、抗体は、エフェクター機能を有するとともに補体を固定可能である。いくつかの実施形態では、抗体は、Ｆｃレセプターへの結合能が低減されているか、または結合能がない。たとえば、抗体は、Ｆｃレセプターへの結合を支援しない、たとえば、Ｆｃレセプター結合領域の突然変異もしくは欠失を有するアイソタイプもしくはサブタイプ、抗体フラグメントまたは突然変異体でありうる。抗体という用語は、４価二重特異的タンデムイムノグロブリン（ＴＢＴＩ）および／またはクロスオーバー結合領域配向を有する二重可変領域抗体様結合タンパク質（ＣＯＤＶ）に基づく抗原結合分子も含む。
【０１１７】
「フラグメント」または「抗体フラグメント」という用語は、完全長抗体ポリペプチドを含まないが依然として抗原に結合可能な完全長抗体ポリペプチドの少なくとも一部分を含む抗体ポリペプチド分子由来のポリペプチド（たとえば、抗体重鎖および／または軽鎖ポリペプチド）を指す。抗体フラグメントは、完全長抗体ポリペプチドの切断部分を含みうるが、この用語は、かかる切断フラグメントに限定されるものではない。本開示に有用な抗体フラグメントとしては、たとえば、Ｆａｂフラグメント、Ｆ（ａｂ’）２フラグメント、ｓｃＦｖ（一本鎖Ｆｖ）フラグメント、線状抗体、単一特異的または多重特異的な抗体フラグメント、たとえば、二重特異的、三重特異的、四重特異的および多重特異的抗体（たとえば、ダイアボディ、トリアボディ、テトラボディ）、１価または多価抗体フラグメント、たとえば、２価、３価、４価および多価の抗体、ミニボディ、キレート化組換え抗体、トリボディまたはビボディ、イントラボディ、ナノボディ、小モジュール免疫医薬（ＳＭＩＰ）、結合ドメインイムノグロブリン融合タンパク質、ラクダ化抗体、およびＶＨＨ含有抗体が挙げられる。抗原結合抗体フラグメントの追加の例は当技術分野で公知である。
【０１１８】
「相補性決定領域」または「ＣＤＲ」という用語は、特異的抗原認識を媒介する役割を主に担う、重鎖および軽鎖の両方のポリペプチドの可変領域内の短いポリペプチド配列を指す。「フレームワーク領域」という用語は、ＣＤＲ配列でないかつ抗原結合が可能になるようにＣＤＲ配列の適正配置を維持する役割を主に担う、重鎖および軽鎖の両方のポリペプチドの可変領域内のアミノ酸配列を指す。フレームワーク領域自体は、典型的には抗原結合に直接関与しないが、当技術分野で公知のように、ある特定の抗体のフレームワーク領域内のある特定の残基は、抗原結合に直接関与しうるか、またはＣＤＲ内の１つもしくはそれ以上のアミノ酸と抗原との相互作用能に影響を及ぼしうる。
【０１１９】
抗体の例は、抗ＰＣＳＫ−９  ｍＡｂ（たとえば、アリロクマブ）、抗ＩＬ−６  ｍＡｂ（たとえば、サリルマブ）、および抗ＩＬ−４  ｍＡｂ（たとえば、デュピルマブ）である。
【０１２０】
本明細書に記載のいずれのＡＰＩの薬学的に許容可能な塩も、薬物送達デバイスで薬物または薬剤に使用することが企図される。薬学的に許容可能な塩は、たとえば、酸付加塩および塩基性塩である。
【０１２１】
本明細書に記載のＡＰＩ、公式、装置、方法、システム、および実施形態の様々な構成要素の修正（追加および／または除去）は、本開示の完全な範囲および趣旨から逸脱することなく行うことができ、本発明の完全な範囲および趣旨は、そうした修正、およびあらゆるその等価物を包含することを、当業者は理解するであろう。
【図１】
2021531125.tif 000003
【図２】
2021531125.tif 000004
【図３】
2021531125.tif 000005
【図４】
2021531125.tif 000006
【図５】
2021531125.tif 000007
【図６】
2021531125.tif 000008
【図７】
2021531125.tif 000009
【国際調査報告】
2021531125.tif 000010
2021531125.tif 000011
2021531125.tif 000012
2021531125.tif 000013
2021531125.tif 000014